(57)【要約】
【課題】  丸形セパレータに、凹凸及び凸起物を付けて表面積を大きくし、付着力と摩擦力を大きくする事により微動が少なくなるので丸形セパレータを伝わる漏水を防止する。
【解決手段】  丸形セパレータのコンクリート埋設部を、異形鉄筋を一定間隔で圧縮し凹凸及び凸起物を付けて表面積を大きくし、コンクリートとの摩擦力、付着力を共に一層増大させる事により、コンクリート硬化後に、型枠やフォームタイ及びコーンを回転させて取り除くとき、又カップ部を折り曲げて取り除く時に、異形丸形セパレータに力を加えるためかかる衝撃と荷重を、摩擦力・付着力の大きくなった異形丸形セパレータで微動と振動を防ぎ、コンクリートと異形丸形セパレータを密着させる事により、異形丸形セパレータを伝わって漏れる、コンクリート貯水槽の漏水を防止する。
【選択図】図２
0003100626.tif 000002
【実用新案登録請求の範囲】
【請求項１】
コンクリート型枠用のセパレータを、土木工事・建築工事に使用する鉄筋コンクリート用異形鉄筋を切断し、両端にネジ部を加工して、これを更に一定間隔に圧縮して凹凸を施し変形させて表面積を増大する事により、コンクリート埋没部分の付着力・摩擦力が増大した分、型枠を取り除くときにかかる、衝撃及び荷重に対して微動しにくい構造としたコンクリート型枠用異形丸形セパレータ。
【考案の詳細な説明】
【技術分野】
【０００１】  本考案は、コンクリート打設時に型枠と型枠を堅結し、コンクリートの寸法を一定寸法に保つ補持具である。
【背景技術】
【０００２】  コンクリート型枠組み立て用具の中で、丸形セパレータはコンクリートの厚みを一定の厚さに確保し、型枠を手早く堅固に組み立てできる用具として、広く一般の実用に供されている。現在使用されている丸形セパレータは表面が滑らかで、型枠脱型時の衝撃及び、カップ部及びコーン部取り除き時にセパレータに力を加えるため、コンクリート埋設部の付着力、摩擦力が共に少ないために微動し、コンクリートと丸形セパレータ間に間隙を生じ、貯水槽等で使用すると丸形セパレータを伝わって漏水の原因になる。【０００３】  特開２０００−５４６２８は、セパレータに異形棒鋼を使用しているが、異形棒鋼の凹凸を利用してコーン部を圧着した構造で、コンクリートにコーン部が埋没し、脱型後に圧着したコーン部の表面がコンクリートの表面に露出し、セパレータがネジ式ではなくコーン部を取り除く構造ではない。【０００４】  実開６１−１０７８３９は、異形セパレータを使用しているが、鉄筋の固定とコンクリートのかぶり厚さ寸法を確保し鉄筋のずれを防ぐ目的であり、コンクリートとの付着力、摩擦力を増大させる目的のものではない。
【考案の開示】
【考案が解決しょうとする課題】
【０００５】  鉄筋コンクリート貯水槽建設に使用する型枠用丸形セパレータは、コンクリート硬化後の型枠脱型時に衝撃と振動を受け、又フォームタイとカップ部及びコーン部を取り除く時に力を加えるため、表面の滑らかな丸形セパレータは、振動及び微動しやすいので、貯水槽に水を張った後に、丸形セパレータを伝わって漏水するのを防止する。
【０００６】  従来は市販の丸形セパレータの中央部に、異形鉄筋（５〜６ｃｍ）を１本毎に現地で溶接しているが、その手間が省ける。
【考案が解決するための手段】
【０００７】  丸形セパレータに、異形鉄筋を切断し両端にネジ部を加工し、更に一定間隔に圧縮加工をして凹凸及び凸起物を付けて変形させる事により表面積を大きくして、コンクリートとの付着力と摩擦力を増大させ、型枠用異形丸形セパレータに掛かる力及び衝撃に対して振動及び微動を防ぐことを目的とする。
【考案の効果】
【０００８】  異形鉄筋は表面に凹凸及び凸起が有り、表面積が広くコンクリートとの付着力・摩擦力が大きいが、これに、さらに一定間隔で圧縮して凹凸を付けて、なお一層の付着力・摩擦力を増大させ、異形丸形セパレータにかかる荷重に対して微動及び振動を少なくし、コンクリート貯水槽で使用する事により、異形丸形セパレータを伝わって漏水するのを防止する効果がある。
【考案を実施するための最良の形態】
【０００９】  型枠脱型時の衝撃及びカップ部及びコーン部取り除き時のセパレータに掛かる力を、図１・図２の様に凹凸及び凸起を付けて表面積を広くし、付着力・摩擦力でもたせ微動及び振動を少なくし、コンクリートとセパレータを密着させて、セパレータを伝うコンクリート貯水槽での漏水を防止する。
【実施例】
【００１０】  異形鉄筋を切断し両端にネジ部を加工し、更に図１・図２の様に一定間隔にプレス機で両側から圧縮して凹部（図１）を作る、これにより凹部の反対側の両面に凸部（図２）が出来るので、コンクリートとの付着力・摩擦力を増大させたコンクリート型枠用異形丸形セパレータを製作し、コンクリート貯水槽の型枠組み立て用具に使用する。【００１１】  図１と図２を図３のように合板ベニヤ（型枠）に穴をあけ、両側よりカップ部を挟み込み、図３クサビ形フォームタイで両側から合板ベニヤ（型枠）を挟み、締め付けて角パイプ（図４のパイプ・木材でも可能）を、合板ベニヤ（型枠）に縦・横方向に添わせて設置し、中央部に穴のあいた座金をクサビ形フォームタイに通し、長三角形のクサビを座金の外から打ち込み、両側から締め付けて合板ベニヤ（型枠）を固定する。【００１２】  図１と図２を図４のように合板ベニヤに穴をあけ、両側よりカップ部を挟み込み、図４ネジ込み形フォームタイで両側から合板ベニヤ（型枠）を挟み、締め付けてパイプ（図３の角パイプ・木材でも可能）を、合板ベニヤに縦・横方向に添わせて設置し、中央に穴のあいた座金をネジ込み形フォームタイに通し、ナットを座金の外の両側から締め付けて合板ベニヤ（型枠）を固定する。【００１３】  コンクリートを打設し、００１０と００１１の逆行程で合板ベニヤ（型枠）を取り除くと、図５のようにコンクリートにカップ部分が残り、これを折り曲げて取り除くと図６のようにくぼみが出来る。くぼみの最深部にセパレータの折れた表面が露出し、鉄の表面が酸化腐食するのでコンクリートのくぼみをモルタルで穴埋め補修する。
【図面の簡単な説明】
【００１４】
【図１】異形鉄筋を圧縮して出来た異形丸形セパレータ凹部平面図（カップ形）
【図２】異形丸形を圧縮して出来た異形丸形セパレータ凸部の側面図（カップ形）
【図３】合板ベニヤ（型枠）に穴をあけ、クサビ形フォームタイを異形丸形セパレータに締め付けて合板ベニヤ（型枠）を、挟み込み角パイプを縦・横に設置し、座金を装着した図である。
【図４】合板ベニヤ（型枠）に穴をあけ、ネジ込み形フォームタイを異形丸形セパレータに締め付けて合板ベニヤ（型枠）を、挟み込みパイプを縦・横に設置し、座金を装着して外からナットを締め付けた図である。
【図５】コンクリートに埋没した異形丸形セパレータが合板ベニヤ（型枠）を、取り除いた後に異形丸形セパレータのカップ部分がコンクリートに残った図である。
【図６】コンクリートに埋没した異形丸形セパレータのカップ部分を折り取ってコンクリートにくぼみが出来た図である。
【図７】コンクリートに埋没した異形丸形セパレータが合板ベニヤ（型枠）を、取り除いた後に異形丸形セパレータの、コーン部分がコンクリートに残った図である。
【図８】コンクリートに埋没した異形丸形セパレータのコーン部分を、ネジをゆるめて取り除いた後のコンクリートにくぼみが出来、異形丸形セパレータのネジ部が露出した図である。
【符号の説明】
【００１５】１    異形鉄筋圧縮部
２    異形鉄筋膨張部
３    カップ
４    合板ベニヤ（型枠）
５    クサビ形フォームタイ
６    ネジ込み形フォームタイ
７    角パイプ
８    パイプ
９    長三角クサビ穴
１０  座金
１１  長三角クサビ
１２  コンクリート
１３  ナット
１４  カップ形くぼみ
１５  コーン
１６  コーン形くぼみ
【図１】
0003100626.tif 000003
【図２】
0003100626.tif 000004
【図３】
0003100626.tif 000005
【図４】
0003100626.tif 000006
【図５】
0003100626.tif 000007
【図６】
0003100626.tif 000008
【図７】
0003100626.tif 000009
【図８】
0003100626.tif 000010